(57)【要約】      （修正有）【課題】肌触りがよくてかぶれにくく、漏れにくくて吸収力が高い乳パッドを提供する。【解決手段】パッド部材１１は、乳房と接触する側に布部材１４を備えている。係合部材１３ａ，１３ｂは、パッド部材１１の乳房と接触しない側に設けられている。係合部材１２ａ，１２ｂは、パッド部材１１の乳房と接触しない側の周辺部に設けられ、乳房と接触しない側の面に折り返されることにより、体液を吸収するための吸収部材２０の周辺部２１を挟み、係合部材１３ａ，１３ｂに係合される。これにより、乳房と接触する側に布部材１４を有した乳パッド１０には、例えば、紙パッドのような吸収力の高い吸収部材２０を固定することができる。【選択図】図１１
0003180866.tif 000002
【実用新案登録請求の範囲】
【請求項１】
乳房と接触する側に布部材を備えたパッド部材と、
前記パッド部材の乳房と接触しない側に設けられる第１の係合部材と、
前記パッド部材の乳房と接触しない側の周辺部に設けられ、乳房と接触しない側の面に折り返されることにより、体液を吸収するための吸収部材の周辺部を挟み、前記第１の係合部材に係合する第２の係合部材と、
を有することを特徴とする乳パッド。
【請求項２】
前記吸収部材は、使い捨ての紙パッドであることを特徴とする請求項１記載の乳パッド。
【請求項３】
乳房と接触する側に布部材を備えたパッド部材と、
前記パッド部材の乳房と接触しない側において、体液を吸収する吸収部材の一部を覆うように前記パッド部材の周辺部の第１の部位から第２の部位へ伸びるループ形状の収容部材と、
を有することを特徴とする乳パッド。
【請求項４】
前記収容部材は、途中で分離されており、分離されている近傍に前記ループを閉じたり開いたりするための係合部材を有することを特徴とする請求項３記載の乳パッド。
【請求項５】
前記吸収部材は、使い捨ての紙パッドであることを特徴とする請求項３または４に記載の乳パッド。
【考案の詳細な説明】
【技術分野】
【０００１】
本件は、母乳などの体液を吸収する乳パッドに関する。
【背景技術】
【０００２】
授乳期の母親の余乳を吸収する物として、例えば、ブラジャー等の下着と乳房との間に挿入して余乳を吸収する乳パッドがある。この乳パッドには、例えば、布製の乳パッドと紙製の乳パッドがある。
【０００３】
なお、従来、周辺縁が直接肌に触れないようにすることにより、出産直後のパッド使用対象者であっても、乳房に刺激を与えず使用感を向上することができる漏乳処理パッドが提供されている（例えば、特許文献１参照）。
【０００４】
また、熱変形による硬い感触や、熱処理に対応した材料に起因する硬い感触となってしまうことを回避できる構成とした母乳パッドが提供されている（例えば、特許文献２参照）。
【先行技術文献】
【特許文献】
【０００５】
【特許文献１】特開平８−１７６９０５号公報
【特許文献２】特開２００１−１１７０４号公報
【考案の概要】
【考案が解決しようとする課題】
【０００６】
しかし、布製の乳パッドは、肌触りがよくてかぶれにくいという特徴があるが、紙製の乳パッドに比べ漏れやすく、吸収量が少ないという問題点がある。
紙製の乳パッドは、漏れにくく吸収量が高いという特徴があるが、布製の乳パッドに比べ肌触りが悪く、かぶれやすいという問題点がある。
本件は、このような点に鑑みてなされたものであり、肌触りがよくてかぶれにくく、漏れにくくて吸収力の高い乳パッドを提供することを目的とする。
【課題を解決するための手段】
【０００７】
上記課題を解決するために、乳パッドが提供される。この乳パッドは、乳房と接触する側に布部材を備えたパッド部材と、前記パッド部材の乳房と接触しない側に設けられる第１の係合部材と、前記パッド部材の乳房と接触しない側の周辺部に設けられ、乳房と接触しない側の面に折り返されることにより、体液を吸収するための吸収部材の周辺部を挟み、前記第１の係合部材に係合する第２の係合部材と、を有する。
【考案の効果】
【０００８】
開示の乳パッドによれば、肌触りがよくてかぶれにくく、漏れにくくて吸収力が高い。
【図面の簡単な説明】
【０００９】
【図１】第１の実施の形態に係る乳パッドの正面図である。
【図２】乳パッドの背面図である。
【図３】乳パッドの平面図である。
【図４】パッド部材の層構造を示した図である。
【図５】吸収部材の正面図である。
【図６】吸収部材の平面図である。
【図７】吸収部材の層構造を示した図である。
【図８】乳パッドに吸収部材を取り付ける前の様子を示した図である。
【図９】乳パッドに吸収部材を取り付ける様子を示した斜視図である。
【図１０】吸収部材を取り付けた乳パッドの正面図である。
【図１１】図１０のＡ−Ａ断面図である。
【図１２】第２の実施の形態に係る乳パッドの正面図である。
【図１３】乳パッドの平面図である。
【図１４】吸収部材を取り付けた乳パッドの正面図である。
【図１５】第３の実施の形態に係る乳パッドの正面図である。
【図１６】乳パッドの平面図である。
【考案を実施するための形態】
【００１０】
以下、実施の形態を、図面を参照して詳細に説明する。
［第１の実施の形態］
図１は、第１の実施の形態に係る乳パッドの正面図である。図１に示すように、乳パッド１０は、パッド部材１１および係合部材１２ａ，１２ｂ，１３ａ，１３ｂを有している。
【００１１】
パッド部材１１は、乳房と接触する側の面に布部材を備えている。図１では、パッド部材１１は、図１の紙面裏側において乳房と接触し、図１の紙面裏側に布部材を有している。パッド部材１１は、乳房を覆うように略円形状を有し、係合部材１２ａ，１２ｂ，１３ａ，１３ｂが設けられている部分においては、半径が他の部分より大きくなっている。
【００１２】
係合部材１２ａ，１２ｂ，１３ａ，１３ｂは、パッド部材１１の乳房と接触しない側の面の周辺部に設けられている。係合部材１２ａ，１２ｂ，１３ａ，１３ｂは、例えば、スナップボタンであり、係合部材１２ａ，１２ｂは、雌スナップ、係合部材１３ａ，１３ｂは、雄スナップである。例えば、雄スナップの係合部材１３ａ，１３ｂは、雌スナップの係合部材１２ａ，１２ｂに嵌め合うようになっている。
【００１３】
係合部材１２ａは、係合部材１２ａ部分のパッド部材１１を、図１の紙面表側方向から係合部材１３ａ方向に折り曲げて、係合部材１３ａに係合する。係合部材１２ｂは、係合部材１２ｂ部分のパッド部材１１を、図１の紙面表側方向から係合部材１３ｂ方向に折り曲げて、係合部材１３ａに係合する。このとき、後術するが、係合部材１２ａ，１２ｂは、例えば、紙パッドなどの吸収部材の周辺部を挟んで、係合部材１３ａ，１３ｂに係合する。
【００１４】
図２は、乳パッドの背面図である。図２は、図１に示した乳パッド１０を、図１の紙面裏側からみた乳パッド１０を示している。図２において、図１と同じものには同じ符号が付してある。
【００１５】
図２に示すように、パッド部材１１は、乳房と接触する側の面に布部材１４を有している。布部材１４は、例えば、パッド部材１１の乳房と接触する側の面全体において設けられる。
【００１６】
頭部材１２ａａ，１２ｂｂは、係合部材１２ａ，１２ｂの頭部である。例えば、頭部材１２ａａ，１２ｂｂは、スナップボタンの頭部である。例えば、図２において、頭部材１２ａａ，１２ｂｂ部分のパッド部材１１を紙面裏側方向に折り曲げ、図１で説明した係合部材１２ａ，１２ｂを係合部材１３ａ，１３ｂに合せる。そして、頭部材１２ａａ，１２ｂｂを係合部材１３ａ，１３ｂと接触する方向に押下することにより、係合部材１２ａ，１２ｂが係合部材１３ａ，１３ｂに係合する。
図３は、乳パッドの平面図である。図３において、図１、図２と同じものには同じ符号が付してある。
図３に示すように、パッド部材１１は、乳房と接触する側の面に布部材１４を有し、乳房と接触しない側の面に外側部材１５を有している。
【００１７】
係合部材１２ａ，１２ｂ，１３ａ，１３ｂは、パッド部材１１の乳房と接触しない側の面の周辺部に設けられている。係合部材１２ａと頭部材１２ａａは、パッド部材１１に設けられた穴を介して連結されている。係合部材１２ｂと頭部材１２ｂｂは、パッド部材１１に設けられた穴を介して連結されている。
【００１８】
図４は、パッド部材の層構造を示した図である。図４に示すように、パッド部材１１は、布部材１４、外側部材１５、吸収部材１６、および透湿部材１７を有している。
【００１９】
布部材１４は、吸収部材１６と接触しない側の面において、乳房と接触する。すなわち、布部材１４は、図４の下側の面において、乳房と接触する。布部材１４は、例えば、オーガニックコットンである。オーガニックコットンは、肌触りがよく、かぶれにくいという特徴がある。布部材１４の乳房と接触する側の面には、頭部材１２ａａ，１２ｂｂが設けられている。
【００２０】
外側部材１５は、例えば、柄布である。外側部材１５には、係合部材１２ａ，１２ｂ，１３ａ，１３ｂが設けられている。係合部材１２ａ，１２ｂは、頭部材１２ａａ，１２ｂｂの凸部と結合して、頭部材１２ａａ，１２ｂｂと連結、固定される。
【００２１】
吸収部材１６は、余乳を吸収する。吸収部材１６は、例えば、ネルである。図４では、吸収部材１６は１枚しか示していないが、例えば、三枚重ねるなど、複数枚設けてもよい。
【００２２】
透湿部材１７は、吸収部材１６が吸収した余乳は通さないが、水蒸気は通す。すなわち、透湿部材１７は、パッド部材１１による乳房の蒸れを抑制する。透湿部材１７は、例えば、ゴアテックス（登録商標）である。吸収部材１６と透湿部材１７は、布部材１４と外側部材１５の間に納められる。
図５は、吸収部材の正面図である。図５に示すように、吸収部材２０は、周辺部２１および接着部材２２ａ，２２ｂを有している。
【００２３】
図５に示す吸収部材２０は、図４で説明した吸収部材１６とは別のものである。吸収部材２０は、例えば、市販されている使い捨ての紙パッドである。吸収部材２０は、後述する方法によって、パッド部材１１の乳房と接触しない側の面に固定される。接着部材２２ａ，２２ｂは、例えば、両面テープであり、ブラジャーなどの下着に接着される。
図６は、吸収部材の平面図である。図６において、図５と同じものには同じ符号が付してある。
【００２４】
図６に示すように、周辺部２１は、他の部分に比べ厚さが薄くなっている。以下で述べるが、余乳は、吸収部材２０の周辺部２１より厚くなっている部分で吸収される。
【００２５】
図７は、吸収部材の層構造を示した図である。図７において、図５、図６と同じものには同じ符号が付してある。図７に示すように、吸収部材２０は、表面部材２３，２５および吸収体２４を有している。
【００２６】
表面部材２３は、後述するが、吸収体２４と接触しない側の面において、パッド部材１１の外側部材１５と接触される。すなわち、表面部材２３は、吸収体２４と接触しない側の面が乳房側の面となる。表面部材２３は、例えば、余乳を透過する紙などで形成されている。
吸収体２４は、余乳を吸収する。吸収体２４は、例えば、粒状のポリマーを有し、余乳を半固形状または固形化し、保持する機能を備えている。
【００２７】
表面部材２５は、吸収体２４と接触しない側の面において、例えば、ブラジャーなどの下着と接触する。表面部材２５は、吸収体２４と接触しない側の面において、接着部材２２ａ，２２ｂを有し、ブラジャーなどの下着に固定される。
【００２８】
吸収体２４は、表面部材２３，２５の間に納められる。そして、表面部材２３，２５は、吸収体２４を間に納めた状態で、各々の周辺部２１が互いに接着される。例えば、表面部材２３の周辺部２１は、表面部材２５の周辺部２１と接着される。このように、表面部材２３，２５は、吸収体２４を間に挟むので、図６に示したように、吸収部材２０の周辺部２１は、吸収体２４が存在する部分に比べ薄くなる。
【００２９】
図８は、乳パッドに吸収部材を取り付ける前の様子を示した図である。図８には、乳パッド１０および吸収部材２０の平面図が示してある。図８において、図３、図６と同じものには同じ符号が付してある。
【００３０】
吸収部材２０を乳パッド１０に取り付ける場合、図８に示すように、吸収部材２０をパッド部材１１の外側部材１５側に配置させる。また、吸収部材２０の接着部材２２ａ，２２ｂが設けられていない側の面を、乳パッド１０の外側部材１５側に向ける。そして、吸収部材２０の周辺部２１が、係合部材１３ａ，１３ｂの上にくるように配置し、吸収部材２０を乳パッド１０の外側部材１５の上に置く。
図９は、乳パッドに吸収部材を取り付ける様子を示した斜視図である。図９において、図１、図２、図５と同じものには同じ符号が付してある。
図９において、図示していない係合部材１２ｂ，１３ｂは、吸収部材２０の周辺部２１の一部を挟んで、係合されている。
【００３１】
同様に、吸収部材２０の周辺部２１の一部を、係合部材１３ａの上に置き、係合部材１２ａを、乳房と接触しない側の面に折り返す。そして、係合部材１２ａを、吸収部材２０の周辺部２１を挟むように、係合部材１３ａに係合させる。
【００３２】
なお、図７で説明したように、吸収部材２０の周辺部２１は、例えば、紙で形成されており、吸収体２４が存在する部分より薄い。従って、係合部材１２ａ，１２ｂと係合部材１３ａ，１３ｂとの間に吸収部材２０の周辺部２１を挟んでも、係合部材１２ａ，１２ｂと係合部材１３ａ，１３ｂは、係合することができる。
図１０は、吸収部材を取り付けた乳パッドの正面図である。図１０において、図１、図２、図５と同じものには同じ符号が付してある。
【００３３】
図１０に示すように、図１０で図示していない係合部材１２ａ，１２ｂは、乳房と接触しない側の面に折り返され、吸収部材２０の周辺部２１を挟み、係合部材１３ａ，１３ｂに係合されている。なお、図１０では、係合部材１２ａ，１２ｂが、乳房と接触しない側の面に折り返されているので、係合部材１２ａ，１２ｂの頭部材１２ａａ，１２ｂｂが図示されている。
図１１は、図１０のＡ−Ａ断面図である。図１１において、図１、図２、図５、図１０と同じものには同じ符号が付してある。
【００３４】
図１１に示すように、係合部材１２ａ，１２ｂは、乳房と接触しない側の面に折り返され、吸収部材２０の周辺部２１を挟み、係合部材１３ａ，１３ｂに係合されている。これにより、吸収部材２０は、乳パッド１０に固定される。
【００３５】
吸収部材２０と一体となった乳パッド１０は、吸収部材２０の接着部材２２ａ，２２ｂによって、ブラジャーなどの下着に固定する。そして、乳パッド１０の布部材１４が、乳房に接触するようにブラジャーなどの下着を身に着ける。これにより、余乳は、パッド部材１１および吸収部材２０によって吸収される。
【００３６】
このように、乳パッド１０は、乳房と接触する側に布部材１４を備えたパッド部材１１と、パッド部材１１の乳房と接触しない側に設けられる係合部材１３ａ，１３ｂと、パッド部材１１の乳房と接触しない側の周辺部に設けられ、乳房と接触しない側の面に折り返されることにより、体液を吸収するための吸収部材２０の周辺部２１を挟み、係合部材１３ａ，１３ｂに係合する係合部材１２ａ，１２ｂと、を備えるようにした。
【００３７】
これにより、乳房と接触する側に布部材１４を有した乳パッド１０には、例えば、紙パッドのような吸収力の高い吸収部材２０を固定することができ、肌触りがよくてかぶれにくく、漏れにくくて吸収力の高い乳パッド１０を提供することができる。
また、布部材１４と外側部材１５との間の吸収部材１６によって、パッド部材１１自体によっても余乳を吸収することができる。
【００３８】
なお、パッド部材１１は、例えば、タックを備え、乳房の形状に合うようにすることもできる。例えば、パッド部材１１は、タックによって円錐形状となるようにし、乳房の形状に合うようにすることができる。
［第２の実施の形態］
【００３９】
次に、第２の実施の形態を、図面を参照して詳細に説明する。第１の実施の形態では、係合部材１２ａ，１２ｂ，１３ａ，１３ｂによって、吸収部材２０の周辺部２１を挟み、吸収部材２０をパッド部材１１に固定するようにした。第２の実施の形態では、パッド部材がループ形状の収容部材を有し、その収容部材に吸収部材を挿入して、乳パッドに吸収部材を固定するようにする。
【００４０】
図１２は、第２の実施の形態に係る乳パッドの正面図である。図１２に示すように、乳パッド３０は、パッド部材３１および収容部材３２を有している。パッド部材３１は、図１２の紙面裏側が乳房と接触する側の面となる。
【００４１】
図１３は、乳パッドの平面図である。図１３において、図１２と同じものには同じ符号が付してある。図１３に示すように、パッド部材３１は、乳房と接触する側に布部材３３を有している。
【００４２】
収容部材３２は、例えば、パッド部材３１のある周辺部から他の周辺部へ一体的に形成されている。具体的には、収容部材３２は、パッド部材３１の乳房と接触しない側の面において、パッド部材３１のある周辺部から他の周辺部へ向かって伸びている。そして、収容部材３２は、ループ形状を形成している。
【００４３】
例えば、収容部材３２は、円形状を有するパッド部材３１のある周辺部から、パッド部材３１の中心点を通る直線の反対側の周辺部へ向かって伸び、ループ形状を形成している。余乳を吸収する吸収部材は、収容部材３２によって形成された、図１３の矢印Ａに示すループの間に挿入される。
【００４４】
パッド部材３１は、図４で説明したパッド部材１１と同様の層を有している。例えば、布部材３３は、オーガニックコットンである。また、パッド部材３１の乳房と接触しない側は、例えば、柄布の外側部材によって形成される。外側部材と布部材３３の間には、例えば、ネルなどの吸収部材と、ゴアテックスなどの透湿部材とが収納されている。
図１４は、吸収部材を取り付けた乳パッドの正面図である。図１４において、図１２、図１３と同じものには同じ符号が付してある。
【００４５】
図１４に示すように、吸収部材４０は、ループを形成している収容部材３２とパッド部材１１との間に挿入される。吸収部材４０は、ループ形状を有した収容部材３２によってその一部が覆われることにより、パッド部材３１の乳房と接触しない側に固定される。
【００４６】
吸収部材４０は、接着部材４１ａ，４１ｂを有している。接着部材４１ａ，４１ｂを、例えば、ブラジャーなどの下着に接着することにより、吸収部材４０と一体となった乳パッド３０は、ブラジャーなどの下着に固定される。吸収部材４０は、例えば、図５〜図７で説明した吸収部材２０と同様の層を有している。
【００４７】
このように、乳パッド３０は、乳房と接触する側に布部材３３を備えたパッド部材３１と、パッド部材３１の乳房と接触しない側において、体液を吸収する吸収部材４０の一部を覆うようにパッド部材３１の周辺部のある部位から他の部位へ伸びるループ形状の収容部材３２とを備える。これにより、乳パッド３０は、第１の実施の形態の乳パッド１０と同様の効果得ることができる。
［第３の実施の形態］
【００４８】
次に、第３の実施の形態を、図面を参照して詳細に説明する。第２の実施の形態では、収容部材３２は、ループがひと続きとなっていた。第３の実施の形態では、収容部材は、途中で分離可能であり、分離されている近傍にループを閉じたり開いたりするための係合部材を有している。
図１５は、第３の実施の形態に係る乳パッドの正面図である。図１５において、図１２〜図１４と同じものには同じ符号が付してある。
【００４９】
図１５に示すように、乳パッド３０は、パッド部材３１および収容部材５１，５２を有している。収容部材５１は、パッド部材３１のある周辺部から伸び、収容部材５２は、パッド部材３１の他の周辺部から伸びている。収容部材５１は、頭部材５３を有している。
図１６は、乳パッドの平面図である。図１６において、図１５と同じものには同じ符号が付してある。
【００５０】
図１６に示すように、収容部材５１は、係合部材５４を有している。収容部材５２は、係合部材５５を有している。係合部材５４，５５は、例えば、スナップボタンであり、係合部材５４は雄スナップ、係合部材５５は雌スナップである。頭部材５３は、例えば、雄スナップの頭部材であり、収容部材５１に設けられた穴を介して、係合部材５４と連結、固定されている。係合部材５４，５５は、収容部材５１，５２の端部（分離されている近傍）に設けられている。
【００５１】
係合部材５４，５５の係合を解くと、収容部材５１，５２を開くことができる。例えば、図１６において、収容部材５１を右方向に開き、収容部材５２を左方向に開くことができる。
【００５２】
収容部材５１，５２を開いた状態で、パッド部材３１の乳房と接触しない側の面に、吸収部材を置く。そして、収容部材５１，５２を閉じ、係合部材５４，５５を係合させる。係合部材５４，５５を係合させることにより、収容部材５１，５２は、ループ形状を形成し、吸収部材の一部を覆い、パッド部材３１に固定することができる。すなわち、図１６に示す乳パッド３０は、図１４に示した状態と同様となる。
【００５３】
このように、収容部材５１，５２を分離し、分離されている近傍にループを閉じたり開いたりするための係合部材５４，５５を設けることによっても、乳パッド３０は、第２の実施の形態と同様の効果を得ることができる。
また、係合部材５４，５５によって、収容部材５１，５２を開閉できるようにしたので、吸収部材の取り付け、取り外しが容易となる。
【００５４】
なお、上記各実施の形態では、余乳を吸収するとしたが、乳房から出るその他の体液を吸収することもできる。また、本件は、上述した実施の形態に限定されるわけではなく、その他種々の変更が可能である。
【符号の説明】
【００５５】
１０  乳パッド
１１  パット部材
１２ａ，１２ｂ，１３ａ，１３ｂ  係合部材
１４  布部材
２０  吸収部材
２１  周辺部
２２ａ，２２ｂ  接着部材
【図１】
0003180866.tif 000003
【図２】
0003180866.tif 000004
【図３】
0003180866.tif 000005
【図４】
0003180866.tif 000006
【図５】
0003180866.tif 000007
【図６】
0003180866.tif 000008
【図７】
0003180866.tif 000009
【図８】
0003180866.tif 000010
【図９】
0003180866.tif 000011
【図１０】
0003180866.tif 000012
【図１１】
0003180866.tif 000013
【図１２】
0003180866.tif 000014
【図１３】
0003180866.tif 000015
【図１４】
0003180866.tif 000016
【図１５】
0003180866.tif 000017
【図１６】
0003180866.tif 000018
【手続補正書】
【提出日】平成24年11月2日(2012.11.2)
【手続補正１】
【補正対象書類名】実用新案登録請求の範囲
【補正対象項目名】全文
【補正方法】変更
【補正の内容】
【実用新案登録請求の範囲】
【請求項１】
乳房と接触する側に布部材を備えたパッド部材と、
前記パッド部材の乳房と接触しない側に設けられる第１の係合部材と、
前記パッド部材の乳房と接触しない側の周辺部に設けられ、乳房と接触しない側の面に折り返されることにより、体液を吸収するための吸収部材の周辺部を挟み、前記第１の係合部材に係合する第２の係合部材と、
を有することを特徴とする乳パッド。
【請求項２】
前記吸収部材は、使い捨ての紙パッドであることを特徴とする請求項１記載の乳パッド。
【請求項３】
乳房と接触する側に布部材を備えたパッド部材と、
前記パッド部材の乳房と接触しない側において、体液を吸収する吸収部材の一部を覆うように前記パッド部材の周辺部の第１の部位から前記第１の部位とは異なる第２の部位へ伸びるループ形状の収容部材と、
を有することを特徴とする乳パッド。
【請求項４】
前記収容部材は、途中で分離されており、分離されている近傍に前記ループを閉じたり開いたりするための係合部材を有することを特徴とする請求項３記載の乳パッド。
【請求項５】
前記吸収部材は、使い捨ての紙パッドであることを特徴とする請求項３または４に記載の乳パッド。